(57)【要約】【課題】人工芝において、いちいち定期的なめくり上げや個別の水洗いをしなくても、模造芝上面からのまとを絞った注水作業だけで、全面的に清浄な状態を維持できるようにする。【解決手段】敷き盤２と、この敷き盤２上に対しそ植設される模造芝３とを有し、模造芝３による植設領域内の適所に、注水される水を敷き盤２の下部へ誘導して展開可能とさせる注水ポイント５が設けられたものとした。【選択図】      図１
2004225488.tif 000002
【特許請求の範囲】
【請求項１】
敷き盤（２）と、この敷き盤（２）上に植設される模造芝（３）とを有する人工芝であって、
上記模造芝（３）による植設領域内の適所に、注水される水を敷き盤（２）の下部へ誘導して展開可能とさせる注水ポイント（５）が設けられていることを特徴とする人工芝。
【請求項２】
前記敷き盤（２）は模造芝（３）を植設する畝部材（６）が設けられたものとしてあり、この畝部材（６）は敷き盤（２）上で平面視渦巻き形に連続して形成され、この渦巻き形の中心部に注水ポイント（５）が配置されると共に渦巻き形に沿って両側を畝部材（６）に挟まれる部分で水の流れる水路（１３）が形成され、この水路（１３）によって導かれる敷き盤（２）の外周部に排水部（１５）が設けられていることを特徴とする請求項１記載の人工芝。
【請求項３】
前記敷き盤（２）は、畝部材（６）の相互隣接間を連結する間隔保持材（１２）が各畝部材（６）の上部同士間で架設されたものとなっており、この間隔保持材（１２）は、畝部材（６）の相互隣接間にできる水路（１３）の全長を覆う状態で設けられていると共にその長手方向に沿って互いに所定間隔で上面開口（１４）が設けられることにより、ラダー形状又はネット形状に形成されていることを特徴とする請求項２記載の人工芝。
【請求項４】
前記敷き盤（２）は模造芝（３）を植設する畝部材（６）が設けられたものとしてあり、この畝部材（６）には模造芝（３）の根本部を差し込む植設溝（１７）が設けられていると共に、この植設溝（１７）内に差し込まれた模造芝（３）の根本部が脱出するのを邪魔するブリッジ片（３０）が設けられていることを特徴とする請求項１記載の人工芝。
【請求項５】
前記敷き盤（２）上に、模造芝（３）とは素材の異なる他質床材（５０）が設けられ、この他質床材（５０）のまわりを取り囲んで前記模造芝（３）が設けられていることを特徴とする請求項１乃至請求項４のいずれかに記載の人工芝。
【発明の詳細な説明】
【０００１】
【発明の属する技術分野】
本発明は、人工芝に関するものである。
【０００２】
【従来の技術】
従来の人工芝として、屋上やベランダ、テラスなど、コンクリートやタイルなどによって仕上げられた床面へ用いられるものがある（特許文献１乃至３参照）。
この種の人工芝は、所定区画内を適数枚の連結によって敷き詰めることのできる大きさ（例えば一辺が３０ｃｍ程度の正方形）の敷き盤と、この敷き盤上に対しその略全面を隠す状態で多数植設される模造芝とを有したものとなっており、競技場などで使用する人工芝とは異なって、模造芝相互間（芝目に該当する部分）へは砂を撒かないで使用する。
【０００３】
このような砂不使用の人工芝において、敷き盤は柔軟性のあるプラスチックやゴムなどにより形成されているのが普通であり、また盤肉厚方向での透水性を持たせるために、格子組み構造とされたり、平盤に対してその上下方向に貫通する角孔や丸孔等が多数分散形成された構造とされたりしていた。
また、敷き盤の下へ落ちた水が停留するのを防止するために、敷き盤の下面に複数本の脚部を設けて排水空間を形成させることも考えられていた（特許文献３参照）。
【０００４】
【特許文献１】
実開昭６２−１０３８０９号公報
【特許文献２】
特公平５−２５９６１号公報
【特許文献３】
特開平８−３３３７０８号公報
【０００５】
【発明が解決しようとする課題】
上記したような従来の各種人工芝では透水性を持たせてあるので、模造芝の上面側から水を撒いた場合、この水は確かに敷き盤の下面側へと速やかに流下するようになり、そのため模造芝間に詰まった塵埃や砂などもこの水と一緒に敷き盤の下部へと洗い出すことができるようになっている。
ところが、上記のようにして敷き盤をその盤肉厚方向へ透過する水は、単に敷き盤を素通りするだけであるから、水は、敷き盤の面積全体に満遍なく撒く必要があり、面倒である共に、水を撒き忘れた箇所があれば当然にこの箇所での塵埃や砂などは除去できないということになる。
【０００６】
のみならず、水が敷き盤を素通りするだけということは、敷き盤に設けられた透水のための開口や孔の周縁部が浄化されることは殆ど期待できなかった。
また、敷き盤の下面に脚部が設けられていないものでは、敷き盤の下部へ落ちた水が停留することがあり、これによって模造芝間から洗い出された塵埃や砂などが堆積したり、水垢や苔が発生したりすることがあった。
敷き盤の下面に脚部が設けられたものでも、程度は低いものの、脚部の下端部まわりで塵埃や砂などの堆積、及び水垢や苔の発生は起こり得るものであった。
【０００７】
そのため、これらを防止するには、定期的に人工芝を１枚１枚めくり上げ、それらの下面を個別に水洗いしなければならないといった面倒があった。
本発明は、上記事情に鑑みてなされたものであって、いちいち定期的なめくり上げや個別の水洗いをしなくても、模造芝上面からのまとを絞った注水作業だけで、全面的に清浄な状態を維持できるようにした人工芝を提供することを目的とする。
【０００８】
【課題を解決するための手段】
前記目的を達成するために、本発明は次の手段を講じた。
即ち、本発明に係る人工芝１は、敷き盤２と、この敷き盤２上に植設される模造芝３とを有している。
そして、上記模造芝３による植設領域内の適所に、注水される水を敷き盤２の下部へ誘導して展開可能とさせる注水ポイント５が設けられている。
このような構成であるため、この人工芝１では、注水ポイント５へ注水するだけで、水は敷き盤２の下部（各模造芝３の根本側）で広範囲に行き渡るようになり、従って各模造芝３に付着した塵埃や砂などを一気に洗い流すことができる。
【０００９】
なお、敷き盤２は、所定区画内を適数枚の連結によって敷き詰めることのできる大きさとしてもよいし、所定区画内を１枚で敷き詰めることのできる大きさとしてもよい。
また、模造芝３は、このような敷き盤２に対してその略全面を隠す状態で設けてもよいし、全面を隠さない状態で設けてもよい。この模造芝３は、注水ポイント５へ注水された水を平面方向へ向けた流れとして全ての模造芝３の根元側へ順々に通過誘導させる配置で植設されたものとすればよい。
【００１０】
注水ポイント５は、一つの敷き盤２を１単位として１カ所だけ設けておくと、一枚の人工芝（一つの敷き盤２）あたり注水は１カ所だけでよくなり、清掃作業が容易且つ迅速に行えるものとなる。ただ、これに限定されず、注水ポイント５を複数箇所設けてもよい。
敷き盤２は模造芝３を植設する畝部材６が設けられたものとしてあり、この畝部材６は敷き盤２上で平面視渦巻き形に連続して形成され、この渦巻き形の中心部に注水ポイント５が配置されると共に渦巻き形に沿って両側を畝部材６に挟まれる部分で水の流れる水路１３が形成され、この水路１３によって導かれる敷き盤２の最も外周部に排水部１５が設けられているものとすればよい。
【００１１】
このような構成とすることで、注水ポイント５の１カ所化が簡単に実現できる。
また、このように構成すると、水路１３も畝部材６に沿って渦巻き形となるので、この水路１３内を誘導される水の流れは、左右の畝部材６にぶつかって蛇行したものとなり、またこの蛇行に伴って波立つ状態になる。
このようなことから、畝部材６の側面が綺麗に浄化されることになる。
敷き盤２は、畝部材６の相互隣接間を連結する間隔保持材１２が各畝部材６の上部同士間で架設されたものとするのが好適である。
【００１２】
このようにすることで、水路１３内を通る水にとって間隔保持材１２が管路抵抗になるのを防止でき、水が流れやすくなる。
間隔保持材１２は、畝部材６の相互隣接間にできる水路１３の全長を覆う状態で設けられたものとすればよい。
この場合、間隔保持材１２には、その長手方向に沿って互いに所定間隔で上面開口１４が設けられたものとして、ラダー形状又はネット形状に形成されているものとするのが好適である。
【００１３】
このようにすることで、敷き盤２の形成材料（柔軟性のあるプラスチックやゴム等）の使用量を抑制でき、軽量化と共に低コスト化が図れるものとなる。
また上面開口１４により、水路１３の全長にわたる部分で透水性を出すことができ、これによって従来同様、模造芝３の上から水を撒いたときの清掃をも可能にできる利点がある。
敷き盤２に設けられた畝部材６には、模造芝３の根本部を差し込む植設溝１７が設けられたものとすればよい。
【００１４】
この場合、この畝部材６には、植設溝１７内に差し込まれた模造芝３（その根本部）の脱出を邪魔するブリッジ片３０が一体的に設けられたものとすることができる。
このブリッジ片３０は、植設溝１７へ模造芝３の根本部を差し込む前では植設溝１７を開放させた形状（後述のブリッジ素材３１を参照）となっているが、植設溝１７へ模造芝３の根本部を差し込んだ後に、超音波溶接や加熱融着等を行って、模造芝３の脱出を邪魔する形状へと形成（変形）させるものとすればよい。
【００１５】
このようなブリッジ片３０による模造芝３の抜け止め構造を採用すれば、材質的又は構造的理由などを原因として敷き盤２（畝部材６）と模造芝３とを接着剤により固定できないような場合であっても、これら両者を固定できることになる。また、接着剤を用いないため、低コスト化が図れ、また製造の容易化も図れるといった利点がある。
敷き盤２と模造芝３とを接着剤により固定できない場合（固定できたとしても固定力が乏しい場合を含む）としては、例えば敷き盤２と模造芝３とのいずれか一方又は両方がポリプロピレン、ポリエチレン、ＥＶＡなどによって形成されているときである。
【００１６】
敷き盤２に対し、その上に模造芝３とは素材の異なる他質床材５０を設けるようにして、この他質床材５０のまわりを取り囲む状態となるように模造芝３を設けるようにしてもよい。
他質床材５０としては、例えば木質片や樹脂片、金属片、タイルをはじめ、大理石、レンガ、天然石、その他の無機質材等とすればよい。
このような他質床材５０を設けることで、模造芝３の植設領域の中にこの他質床材５０が点在するような外観となり、アクセントをつけられることになる。また、これらの他質床材５０を、重量物や不安定物（例えば椅子やテーブルの脚、植木鉢、オブジェなど）の据え付け場所として利用することもできる。これにより、模造芝３のへたり、潰れ、変形、ちぎれ等を防止できることになる。
【００１７】
【発明の実施の形態】
以下、本発明の実施の形態を、図面に基づき説明する。
図１及び図２は、本発明に係る人工芝１の一実施形態を示している。
この人工芝１は、敷き盤２と、この敷き盤２上に植設された模造芝３とを有している。
なお、図１では敷き盤２の一部を破砕すると共に模造芝３の一部を省略して描いており、また図２では模造芝３の全てを省略して敷き盤２だけの状態として描いてある。
【００１８】
この人工芝１では、模造芝３による植設領域内の適所に注水ポイント５が設けられたものとなっている。この注水ポイント５は集中的な（スポット的な）注水を可能にするためのものである。
本第１実施形態において、敷き盤２はその全体として平面正方形状を呈したものとしてある。
またこの敷き盤２は、細帯形に形成された畝部材６をその帯幅方向が縦になるように用い、その長さ方向で少しずつ長い寸法を取りながら一定方向へ折り曲げることを繰り返すことによって形成されたものとしてある。
【００１９】
従って、この敷き盤２は、平面正方形の中で上記した畝部材６が角ばった渦巻き形を呈するようになっている。
この敷き盤２の一辺長さは例えば３０ｃｍとされている。
またこの敷き盤２は、プラスチックやゴム等によって一体的に形成されている。なお、これらプラスチックやゴム等は、材質的に柔軟性のあるものとしてもよいし、硬質なものとしてもよい。
従って屋上やベランダ、テラスなど、コンクリートやタイルなどによって仕上げられた床面に対し、この人工芝１を適数枚連結してゆけば、この床面全面又は所定区画内へ人工芝１を敷き詰めることができる。
【００２０】
なお、図２に示すように、敷き盤２の外周面には、四周のうち、一組の隣り合う二辺部分（２Ａ，２Ｂ）に相当させて、それらの長手方向複数箇所に連結用雌部材７が設けられており、もう一組の隣り合う二辺部分（２Ｃ，２Ｄ）に相当させて、それらの長手方向複数箇所に連結用雄部材８が設けられている。
これら雌部材７と雄部材８は、それらの形成個数及び形成ピッチが同じに形成されており、敷き盤２相互を縦横に整列させながら隣接設置してゆくと、例えば図５に示すように雄部材８に設けられた弾性変形可能な二股状の脚９が雄部材８に設けられた係合孔１０内に嵌って係合するような構造となっており、その後は雄部材８の脚９をしぼめるといった操作をしない限り、敷き盤２相互の連結状態が無闇に解けることはないものとなっている。
【００２１】
上記したように敷き盤２は平面渦巻き形であるので、畝部材６はその略全長にわたり所定間隔をおいて並行隣接したものとなっているが、図３に拡大して示すように、畝部材６相互の隣接間には、それらの上部同士間を連結するように間隔保持材１２が架設されている。
従って、この間隔保持材１２により、畝部材６相互隣接間にできる隙間が所定幅に保持（固定）され、また敷き盤２全体として、その剛性が保たれるようになっている。
【００２２】
そして、この間隔保持材１２には、その長手方向に沿って互いに所定間隔で複数の上面開口１４が形成されており、これにより間隔保持材１２全体として、その長手方向でラダー形状又はネット形状を呈するようになっている。
このようなことから、敷き盤２には、両側を畝部材６に挟まれるかたちで上記した隙間によって水の流れる水路１３が形成されたものとなっており、しかもこの水路１３には、その全長にわたり、上面開口１４を通して敷き盤２の上面側からの透水性が得られたものとなっている。
【００２３】
この水路１３は、上記した渦巻き形の中心部（敷き盤２において対角線の交点部分に略相当）で鉤形の行き止まりとなり、また渦巻きの外側では敷き盤２の最も外周部に面して開口するようになっている。
そのため、渦巻き中心部の行き止まり部分に対して最も近い位置付けの上面開口１４が上記した注水ポイント５とされ、また渦巻き外側に設けられる側面開口が、この注水ポイント５から注水された水を吐き出すための排水部１５とされることになる。
【００２４】
畝部材６の上端部には、その長手方向全長にわたってスリット状の植設溝１７が設けられており、この植設溝１７に対して上記した模造芝３が植設される。
これらの説明から明らかなように、本第１実施形態において模造芝３は、敷き盤２に対してその略全面を隠す状態で設けられたものとなっている。
図４に示すように、模造芝３は、柔軟性及び弾性（形状復元性）のあるプラスチックやゴム等から芝の葉状に細く形成された葉状片２０を、帯状に連ねた状態にし、これら葉状片２０の根本側を、樹脂シートやゴムシート等でサンドイッチ状に挟んで縫着や接着、或いは溶着したり又は溶融樹脂や溶融ゴム等により一体的に封入したりして、根本硬化部２１を形成させ、束ねたものである。
【００２５】
このような模造芝３は、根本硬化部２１側を畝部６の植設溝１７へ差し込んで、接着や溶着又は圧入状態とさせて固着される。
このような構成の人工芝１を、屋上やベランダ、テラスなど、コンクリートやタイルなどによって仕上げられた床面上へ敷き詰め、芝地化した場合、この芝地で清掃作業を行うには、個々の人工芝１（一つの敷き盤２）あたり１カ所だけ設けられている注水ポイント５に対して、勢いよく注水させてゆくようにする。
もっとも、注水ポイント５を狙って注水させることが必須とされるわけではなく、また必ずしも注水ポイント５へ注水させなければ目的とする作用効果が得られないということでもない。
【００２６】
この注水により、各敷き盤２内では、水は水路１３内を誘導されつつ注水ポイント５から渦巻きの外側へ向けて渦巻き状に流れてゆくようになり、この敷き盤２に植設された全ての（全長の）模造芝３の根本部を順々に洗い流しながら敷き盤２の最も外周側に設けられた排水部１５へと達し、この排水部１５から敷き盤２の外側へと吐き出されるようになる。
このとき、図６及び図７に示すように、水路１３内を流れる水は、渦巻き形の中の角部を通る時点で攪拌が起こり、またその後、偏心性を与えられることになるために渦巻き形の中の直進部を通る時点でも蛇行した状態が得られることになる。
【００２７】
そのため、図８（Ａ）及び（Ｂ）に示すように、水路１３内ではその全域にわたり、左側の畝部材６にぶつかり、その反動で右側の畝部材６にぶつかり、更にはその間、間隔保持材１２にもぶつかり、といったことを繰り返した波立ち状態が起こることになる。
このような結果から、畝部材６の側面や間隔保持材１２の下面は綺麗に浄化され、模造芝３に付着した塵埃や砂などは一気に平面方向へ洗い流されるものとなる。
【００２８】
なお、間隔保持材１２は水路１３の上部側に位置付けられているため、この水路１３内を流れる水にとって間隔保持材１２が管路抵抗になることはなく、水勢が低下することは防止される。従って、洗浄力が低下することは殆どないものである。
また敷き盤２は、上記したように間隔保持材１２に設けられた上面開口１４によって透水性を有したものとなっているので、模造芝３の上から水を撒くことによって模造芝３自体に付着した塵埃や砂なども水路１３側へと洗い流すことができ、もって人工芝１は、いちいち人工芝１をめくり上げて個別に洗うようなことをしなくても清浄に保つことができるものである。
【００２９】
図９乃至図１３は、それぞれ敷き盤２の別実施形態を示している。
図９に示した敷き盤２は、平面円形に形成されている。従って当然に、畝部材６もこの平面円形の中で滑らかな円形状の渦巻き形を呈するものとなっており、この畝部材６に挟まれてできる水路１３もまた、滑らかな円形状の渦巻き形を呈するようになっている。
その他の形状、構造をはじめ、作用効果は上記した平面角形の敷き盤２（図１及び図２参照）の場合と略同様である。
【００３０】
なお、水路１３が滑らかな円形状の渦巻き形であることから、注水ポイント５から注水された水は遠心力を伴って一気に排水部１５へと達するようになり、主としてこのとき生じる強い水勢及び速い流速により、模造芝３の根本部に付着する塵埃や砂等を洗い流すことができるという作用が、相加的に得られると言うことができる。
図１０は、水路１３の平面形状に着眼した状態として敷き盤２を表した模式図である。即ち、この図１０中に描かれた線は、水路１３を表している。
【００３１】
この図１０から明らかなように、水路１３は二重の渦巻き形を呈するような配置関係で、２本（又はそれ以上でもよい）設けてある。
そして、各水路１３の両側を挟む配置で模造芝３（図示略）が植設されているものである。
この場合、各水路１３において渦巻き形の中心部で鉤形を呈した部分は、互いに近接することになるので、これらを各別の注水ポイント５として形成させてもよいし、或いは両方の鉤形部分を連結させて注水ポイント５の共通化を図ってもよい。
【００３２】
図１１も、水路１３の平面形状に着眼した状態として敷き盤２を表した模式図であって、この図１１の水路１３は、敷き盤２における一つの隅角部を始点１３ａとして他の隅角部（図例では対角位置の隅角部）を終端１３ｂとする蛇行形状として形成配置されている。
従って、この蛇行形状のいずれか一方の端部１３ａ，１３ｂを注水ポイント５として使用し、同他方を排水部１５とすればよいことになる。
図１２も、水路１３の平面形状に着眼した状態として敷き盤２を表した模式図であって、この図１２の水路１３は、敷き盤２の中心部から敷き盤２の全周へ向けて放射状配置で多数本設けられたものとなっている。
【００３３】
このことから、敷き盤２の外周部に多数の排水部１５が設けられたものとなっている。
図１３も、水路１３の平面形状に着眼した状態として敷き盤２を表した模式図であって、この図１３の水路１３は、敷き盤２の中心部から敷き盤２の全周へ向けて放射状配置で多数本設けられ、更に、各水路１３が途中で枝分かれして、それぞれが敷き盤２の外周部へ達したたものとなっている。
そのため、敷き盤２の外周部には、図１２に示したものよりも更に多くの排水部１５が設けられたものとなっている。
【００３４】
図１４乃至図２２は、敷き盤２に対して模造芝３を取り付ける構造としての別実施形態を示している。
すなわち、上記した実施形態では、敷き盤２に設けられた畝部材６の植設溝１７内へ模造芝３の根本部（根本硬化部２１等）を差し込み、接着等により固定する旨説明したが、この図１４乃至図２２に示した実施形態では、敷き盤２に設けたブリッジ片３０（図２０及び図２２参照）を用いるものとしている。
図１６乃至図１８などから明らかなように、このブリッジ片３０は、模造芝３を取り付ける前の敷き盤２に対し、畝部材６の上面で植設溝１７の両側からピン状に突出して設けられた一対のブリッジ素材３１を元にして、形成されている。
【００３５】
すなわち、図１９や図２１に示すように、畝部材６の植設溝１７へ模造芝３の根本部を差し込んだ後、図２２に示すように、植設溝１７を挟んで隣接する両ブリッジ素材３１を成型型３３で押圧して互いの先端部を寄せ合わせてゆき、これら両ブリッジ素材３１の先端部同士を融着させ、一体化させるようにする。
この融着の方法としては、超音波溶接や加熱融着等を採用すればよい。
超音波溶接の場合は、成型型３３と畝部材６の下端面６ａとの間で超音波を印加させればよく、また加熱融着の場合は、成型型３３を加熱させておけばよいものである。
【００３６】
なお、ブリッジ素材３１は、植設溝１７の両側で同じ形状とさせる必要はなく、例えば一方が長く他方が短いものとしてもよいし、場合によっては植設溝１７の一方側だけにブリッジ素材３１を設けるようにしてもよい。
このようにしてブリッジ片３０を形成させ、もって植設溝１７からの模造芝３の抜け止め（即ち、敷き盤２に対する模造芝３の固定）を施せば、敷き盤２と模造芝３とのいずれか一方又は両方がポリプロピレン、ポリエチレン、ＥＶＡなどによって形成されているときのように、敷き盤２と模造芝３とを接着剤により固定できない場合でも、これら両者を固定できることになる。
【００３７】
そのため、敷き盤２や模造芝３につき、その使用可能な材質種を拡大できる（即ち、材質的な限定を受けない）利点が得られ、また接着剤を用いないために低コスト化や製造の容易化（乾燥時間不要のための時間短縮等）も図れるといった利点がある。
この図１４乃至図２２で説明した実施形態において示したように、敷き盤２の畝部材６に対し、その下端部で長手方向に沿って互いに所定間隔をあけるようにして、下向きに開口する窪み３５を複数設けておくこともできる。
【００３８】
このような窪み３５を設けることで、注水ポイント５などから注水される水量が乏しいとき、或いは水勢が弱いときなどでも、排水性能を高めることができる利点がある。
図２３乃至図２６は、敷き盤２に対し、模造芝３だけでなく他質床材５０をも設けるようにした別実施形態を示している。
この実施形態では、敷き盤２の上に、模造芝３とは素材の異なる他質床材５０を設けてあるために、この他質床材５０のまわりを模造芝３が取り囲んだ外観、逆に言えば、模造芝３の植設領域の中にこの他質床材５０が点在するような外観となり、アクセントのついたものとなっている。
【００３９】
この他質床材５０の平面形状、大きさ、厚さ、材質、色、敷き盤２に対するレイアウトなどは、特に限定されるものではない。また、この他質床材５０は、上面が平坦であるものでも、それ以外のもの（凹凸や曲面などがある状態）でもよい。
例えば他質床材５０の材質に関して言えば、木質片や樹脂片、金属片、ガラス片、タイルをはじめ、大理石、レンガ、天然石、その他の無機質材等を用いることができる。また場合によっては、ゴム盤などのやや柔らかみのある素材を用いてもよい。
【００４０】
このような他質床材５０を設けることで、その上に重量物や不安定物（例えば椅子やテーブルの脚、植木鉢、オブジェなど）を据え付けるようにすることも可能である。
本実施形態に示した敷き盤２では、他質床材５０をガタツキのない程度に嵌め込む凹部５１が縦横に整然と配置されて升目状になっており、これら個々の凹部５１を中心にしてそのまわりを二重の角形渦巻き状に取り囲むかたちで畝部材６が設けられたものとしてある。
【００４１】
また、隣り合う２個の凹部５１を１ペアとして、これらを取り囲む畝部材６相互が相対逆の渦巻き方向とされ、これによってこれら両凹部５１の畝部材６が切れ目の無い１本のものに繋がるように形成されている。
すなわち、この１ペアとなる２個の凹部５１をそれぞれ一筆書き状に取り巻くようにして畝部材６が設けられ、この畝部材６に対しその全長にわたって模造芝３が一連に植設されるものとなっている。
そして、この畝部材６が渦巻きを呈している部分に相当して、畝部材６相互間に水路１３が形成されるようになっている。
【００４２】
この水路１３において、凹部５１（即ち、他質床材５０）に最も近接した部分で注水ポイント５が設けられていることになる。また、１ペアの凹部５１における隣接間（丁度、畝部材６の渦巻き方向が逆向きに切り替わる部分）に、水路１３としての排水部１５が設けられていることになる。
図２６から明らかなように、各凹部５１にはその底部に排水用の透過口５２を設けておき、且つ底面側（裏面側）に撓み防止用の脚５３を設けておくのが好ましい。
【００４３】
ところで、本発明は、上記各実施形態で説明したものに限定されるものではなく、実施の形態に応じて更に適宜変更可能である。
例えば、敷き盤２の平面形状は、上記したような正方形や円形に限定されるものではなく、三角形や長方形、四角形以上の多角形、楕円、星形など、何でもよい。
また、注水ポイント５は、多くなりすぎない範囲（注水作業が面倒にならない程度）であれば、複数箇所設けることも可能である。
【００４４】
【発明の効果】
以上の説明から明らかなように、本発明に係る人工芝では、いちいち定期的なめくり上げや個別の水洗いをしなくても、模造芝上面からのまとを絞った注水作業だけで、全面的に清浄な状態を維持できるようになった。
【図面の簡単な説明】
【図１】本発明に係る人工芝の一実施形態について敷き盤の一部を破砕すると共に模造芝の一部を省略して描いた斜視図である。
【図２】図１の人工芝について模造芝の全てを省略して敷き盤だけの状態として描いた平面図である。
【図３】図１中の一部を拡大して示した分解斜視図である。
【図４】模造芝の拡大断面図である。
【図５】敷き盤相互を連結する構造例を示した一部破砕側面図である。
【図６】図１の人工芝について水路角部での水の流れを説明した要部平面図である。
【図７】図１の人工芝について水路直線部での水の流れを説明した要部平面図である。
【図８】図６及び図７の水路内での水の動きを示した断面図である。
【図９】敷き盤の別実施形態（平面円形を呈したもの）を示した平面図である。
【図１０】敷き盤の別実施形態（二重渦巻き配置の水路を有したもの）を示した平面図である。
【図１１】敷き盤の別実施形態（蛇行配置の水路を有したもの）を示した平面図である。
【図１２】敷き盤の別実施形態（放射状配置の水路を有したもの）を示した平面図である。
【図１３】敷き盤の別実施形態（放射状配置で且つ枝分かれした水路を有したもの）を示した平面図である。
【図１４】敷き盤に対して模造芝を取り付ける構造としてその別実施形態について模造芝取付前の敷き盤を示した要部平面図である。
【図１５】図１４のＡ−Ａ線断面図である。
【図１６】図１４中のＢ部拡大図である。
【図１７】図１６のＣ−Ｃ線断面図である。
【図１８】図１６や図１７に対応させて示した俯瞰図である。
【図１９】敷き盤に模造芝を取り付ける過程（模造芝を差し込んだだけ）を示した要部斜視図である。
【図２０】図１９の状態に続いて敷き盤に模造芝を取り付けた後の状態（ブリッジ片を形成させた状態）を示した要部斜視図である。
【図２１】図１９に対応する正面断面図である。
【図２２】図２０に対応する正面断面図（成形型による成形状況）である。
【図２３】敷き盤に対して模造芝だけでなく他質床材をも設けるようにした別実施形態につき模造芝の一部を省略して示した斜視図である。
【図２４】図２３の一部を拡大して示した斜視断面図である。
【図２５】図２３に示した実施形態で使用する敷き盤を示した平面図である。
【図２６】図２３のＤ−Ｄ線断面図である。
【符号の説明】
１    人工芝
２    敷き盤
３    模造芝
５    注水ポイント
６    畝部材
１２    間隔保持材
１３    水路
１４    上面開口
１５    排水部
３０    ブリッジ片
５０    他質床材
【図１】
2004225488.tif 000003
【図２】
2004225488.tif 000004
【図３】
2004225488.tif 000005
【図４】
2004225488.tif 000006
【図５】
2004225488.tif 000007
【図６】
2004225488.tif 000008
【図７】
2004225488.tif 000009
【図８】
2004225488.tif 000010
【図９】
2004225488.tif 000011
【図１０】
2004225488.tif 000012
【図１１】
2004225488.tif 000013
【図１２】
2004225488.tif 000014
【図１３】
2004225488.tif 000015
【図１４】
2004225488.tif 000016
【図１５】
2004225488.tif 000017
【図１６】
2004225488.tif 000018
【図１７】
2004225488.tif 000019
【図１８】
2004225488.tif 000020
【図１９】
2004225488.tif 000021
【図２０】
2004225488.tif 000022
【図２１】
2004225488.tif 000023
【図２２】
2004225488.tif 000024
【図２３】
2004225488.tif 000025
【図２４】
2004225488.tif 000026
【図２５】
2004225488.tif 000027
【図２６】
2004225488.tif 000028